(57)【要約】【課題】  本発明は、音声入力、前記音声の認識、音声認識に基づいた答え、前記答えに合った動作を選択された画像に行なわせることができる音声動画応答方法および音声動画応答システムを提供する。【解決手段】  情報処理装置は、前記画像選択手段により選択された画像を表示させる表示手段が備えられているとともに、前記マイクロホンから入力された音声を認識する音声認識手段と、前記音声による答えを合成する音声合成手段が予め記憶装置に記憶されている。前記音声認識手段により音声を認識することにより音声の内容に合った答えは、予め記憶手段に記憶されている前記データファイルのテーブルを参照して出力される。マイクロホンから入力された音声は、音声認識手段により音声データとなり、前記テーブルから音声に基づいて予め記憶されている音声に合った答えと動画とを出力させる。【選択図】  図１
2006048218.tif 000002
【特許請求の範囲】
【請求項１】
選択された画像を表示させる表示手段と、音声を認識する音声認識手段と、前記音声認識手段により音声を認識することにより音声の内容に合った答えと前記表示手段に表示されている画像に合わせた画像データとをそれぞれ対応させた「画像−音声入力−音声出力−動作プログラム」が記憶されているデータファイルと、からなる情報処理装置における音声動画応答方法において、
前記音声認識された音声に基づいて予め記憶されている前記データファイルから音声に合った答えと画像とを出力することを特徴とする音声動画応答方法。
【請求項２】
サーバーと通信手段を介して接続できる情報処理装置から構成される音声動画応答方法において、
前記通信手段を介してサーバーに接続した後、音声を認識する音声認識手段と、前記音声認識手段で音声を認識することにより音声の内容に合った答えと前記答えに合わせた画像データとをそれぞれ対応させた「画像−音声入力−音声出力−動作プログラム」が記憶されているデータファイルとを前記情報処理装置にダウンロードし、
前記情報処理装置からの音声が前記音声認識手段によって音声認識された音声データに基づいて、前記データファイルから前記音声に合った答えと画像とを前記情報処理装置における出力手段に出力することを特徴とする音声動画応答方法。
【請求項３】
音声を認識する音声認識手段と、前記音声認識手段により音声を認識することにより音声の内容に合った答えとなる音声データと、前記答えに合わせた画像データとをそれぞれ対応させた「画像−音声入力−音声出力−動作プログラム」が記憶されているデータファイルとを備えているサーバーと；
前記サーバーに接続できる通信手段と、画像を表示させる表示手段と、出力手段とを少なくとも備えている情報処理装置と；
から構成されている音声動画応答方法において、
前記通信手段を介してサーバーに接続した後、前記情報処理装置からの音声がサーバー側の音声認識手段によって音声認識された音声データに基づいて、予めサーバー側に記憶されている前記データファイルから前記音声に合った答えと画像とを前記通信手段を介して情報処理装置側の前記表示手段および出力手段に出力することを特徴とする音声動画応答方法。
【請求項４】
画像選択手段と、
前記画像選択手段によって選択された画像を表示させる表示手段と、
音声を認識する音声認識手段と、
前記音声認識手段により音声を認識することにより音声の内容に合った答えとなる音声データと、前記表示手段に表示されている画像を動かすための画像データとをそれぞれ対応させた「画像−音声入力−音声出力−動作プログラム」からなるデータファイルが記憶されている記憶手段と、
前記音声認識された音声データに基づいて予め記憶されている前記データファイルから音声に合った答えと、前記答えに合った画像とが出力するように制御を行う制御手段と、
を少なくとも備えていることを特徴とする音声動画応答システム。
【請求項５】
画像を表示させる表示手段と、
前記表示手段に所望の画像を選択して表示させる画像選択手段と、
通信手段と、
マイクロホンおよびスピーカーからなる入出力手段と、
を少なくとも備えている情報処理装置と；
音声を認識する音声認識手段と、
前記音声認識手段により音声を認識することにより音声の内容に合った答えとなる音声データと、画像を動かすための画像データとをそれぞれ対応させた「画像−音声入力−音声出力−動作プログラム」からなるデータファイルとが記憶されている記憶手段と、
通信手段と、
を少なくとも備えているサーバーと；
から構成されている音声動画応答システムにおいて、
前記情報処理装置で選択した画像およびマイクロホンからの音声に対する答えが前記サーバー側の前記音声認識手段、および前記データファイルにより、前記音声に合った答えと前記答えに合った画像となって、前記通信手段を介して前記入出力手段および表示手段から出力することを特徴とする音声動画応答システム。
【請求項６】
画像を表示させる表示手段と、
前記表示手段に所望の画像を選択して表示させる画像選択手段と、
スピーカーからなる出力手段と、
前記音声認識手段により音声を認識することにより音声の内容に合った答えとなる音声データと、前記選択された画像を動かすための画像データとをそれぞれ対応させた「情報−画像−音声入力−音声出力−動作プログラム」からなるデータファイルとが記憶されている記憶手段と、
サーバーの情報配信手段に記憶されている情報を選択する情報選択手段と、
前記サーバーの情報配信手段に接続するための通信手段と、
を少なくとも備えている情報処理装置を用いた音声動画応答システムにおいて、
前記情報処理装置で選択した情報および前記情報を伝える画像が前記データファイルに基づいて、表示手段に画像を表示させるとともに、前記情報を出力することを特徴とする音声動画応答システム。
【請求項７】
前記音声認識手段によって音声を認識し、認識された前記音声の内容に合った答えを音声合成手段を用いて出力することを特徴とする請求項４から請求項６のいずれか１項に記載された音声動画応答システム。
【請求項８】
前記音声認識手段、音声認識対象語彙データ、音声合成手段、音声合成対象文のデータ、前記データファイルの中の少なくとも一つは、通信手段を介して情報処理装置にダウンロードされることを特徴とする請求項４から請求項７のいずれか１項に記載された音声動画応答システム。
【請求項９】
前記情報処理装置は、マイクロホンから入力された音声を音声認識手段により音声データとし、前記サーバーから所望の情報を表示手段および／またはスピーカーから出力することを特徴とする請求項５に記載された音声動画応答システム。
【請求項１０】
前記情報処理装置は、サーバーと通信手段を接続した状態で、画像と音声に対する答えとをダウンロードすることを特徴とする請求項５から請求項９のいずれか１項に記載された音声動画応答システム。
【請求項１１】
前記サーバーには、ダウンロード回数を数えるダウンロードカウンターを備えていることを特徴とする請求項５から請求項１０のいずれか１項に記載された音声動画応答システム。
【請求項１２】
前記サーバーには、通信手段に接続することにより課金する課金手段が設けられていることを特徴とする請求項５から請求項１１のいずれか１項に記載された音声動画応答システム。
【請求項１３】
前記情報処理装置は、パーソナルコンピュータ、携帯電話機、モバイル機器、固定電話機、ディジタルテレビジョンセットの内の少なくとも一つであることを特徴とする請求項５から請求項１２のいずれか１項に記載された音声動画応答システム。
【請求項１４】
発呼者からの信号を認識する着信手段と、
前記着信手段によって得られた発呼者からの電話番号を認識する電話番号認識手段と、
前記電話番号認識手段により認識した電話番号に合った発呼者に対応させた音声データと、
前記発呼者の画像データとをそれぞれ対応させた「情報−画像−音声入力−音声出力−動作プログラム」からなるデータファイルとが記憶されている記憶手段と、
前記記憶手段に記憶されている音声データを出力するスピーカーと、
前記記憶手段に記憶されている画像データを出力する表示手段と、
を少なくとも備えていることを特徴とする携帯電話機を用いた音声動画応答システム。
【請求項１５】
前記サーバーは、一部のデータを他のサーバーから得ることを特徴とする請求項５から請求項１２のいずれか１項に記載された携帯電話機を用いた音声動画応答システム。
【請求項１６】
前記他のサーバーは、インターネットによるオンラインサービスであることを特徴とする請求項１５に記載された携帯電話機を用いた音声動画応答システム。
【発明の詳細な説明】
【技術分野】
【０００１】
本発明は、音声の入力に基づいた答えと、前記答えに合った画像の動作が出力できる音声動画応答方法および音声動画応答システムに関するものである。
【背景技術】
【０００２】
情報処理装置の表示手段には、動く画像が声や音を出して使用者に喚起を与えるというものがある。たとえば、前記表示手段に表示されたイルカは、頭を下げて「ごめんなさい」の表情をするとともに、音または声を出す。
【０００３】
また、特開２００２−２０８０２４号公報におけるエージェントキャラクタ動画データセット生成方法は、自分の好みに合った部品データを選択してキャラクタを生成し、前記キャラクタに動作を行わせることができるものである。
【特許文献１】特開２００２−２０８０２４号公報
【発明の開示】
【発明が解決しようとする課題】
【０００４】
前記イルカの例は、動きと音または声がいつも同じで、使用者が飽きるという問題を有する。また、マイクロホンに向かってしゃべった音声が理解されて、前記音声に合った答えとともに、画像に前記答えに合った動作をさせるという技術は、音声認識手段、音声合成手段、画像、画像の動作プログラム、音声認識した結果の内容を判断する知識等が必要であった。
【０００５】
そのため、前記音声の入力と、前記音声に合った答え、および前記答えに合った画像の動作で応答する方法およびシステムは、音声認識技術、音声合成技術、画像処理技術、動作プログラム技術をそれぞれ異なる専門家により開発しなければならないため、前記発想そのものがなかった。
【０００６】
以上のような課題を解決するために、本発明は、音声入力、前記音声の認識、音声認識に基づいた答え、前記答えに合った動作を選択された画像に行なわせることにより、情報処理装置を楽しく使用することができる音声動画応答方法および音声動画応答システムを提供することを目的とする。
【０００７】
本発明は、簡単なデータファイルをもつだけで、音声の入力により、前記音声に合った答えと、前記答えに合った画像の動作を出力することができ、情報処理装置とのつきあいに深みができるだけでなく、飽きずに長く仕事等を行うことができる音声動画応答方法および音声動画応答システムを提供することを目的とする。
【課題を解決するための手段】
【０００８】
（第１発明）
第１発明の音声動画応答方法は、選択された画像を表示させる表示手段と、音声を認識する音声認識手段と、前記音声認識手段により音声を認識することにより音声の内容に合った答えと前記表示手段に表示されている画像に合わせた画像データとをそれぞれ対応させた「画像−音声入力−音声出力−動作プログラム」が記憶されているデータファイルと、からなる情報処理装置において、前記音声認識された音声に基づいて予め記憶されている前記データファイルから音声に合った答えと画像とを出力することを特徴とする。
【０００９】
（第２発明）
第２発明の音声動画応答方法は、サーバーと通信手段を介して接続できる情報処理装置から構成され、前記通信手段を介してサーバーに接続した後、音声を認識する音声認識手段と、前記音声認識手段で音声を認識することにより音声の内容に合った答えと前記答えに合わせた画像データとをそれぞれ対応させた「画像−音声入力−音声出力−動作プログラム」が記憶されているデータファイルとを前記情報処理装置にダウンロードし、前記情報処理装置からの音声が前記音声認識手段によって音声認識された音声データに基づいて、前記データファイルから前記音声に合った答えと画像とを前記情報処理装置における出力手段に出力することを特徴とする。
【００１０】
（第３発明）
第３発明の音声動画応答方法は、音声を認識する音声認識手段と、前記音声認識手段により音声を認識することにより音声の内容に合った答えとなる音声データと、前記答えに合わせた画像データとをそれぞれ対応させた「画像−音声入力−音声出力−動作プログラム」が記憶されているデータファイルとを備えているサーバーと；
前記サーバーに接続できる通信手段と、画像を表示させる表示手段と、出力手段とを少なくとも備えている情報処理装置と；
から構成されており、
前記通信手段を介してサーバーに接続した後、前記情報処理装置からの音声がサーバー側の音声認識手段によって音声認識された音声データに基づいて、予めサーバー側に記憶されている前記データファイルから前記音声に合った答えと画像とを前記通信手段を介して情報処理装置側の前記表示手段および出力手段に出力することを特徴とする。
【００１１】
（第４発明）
第４発明の音声動画応答システムは、画像選択手段と、前記画像選択手段によって選択された画像を表示させる表示手段と、音声を認識する音声認識手段と、前記音声認識手段により音声を認識することにより音声の内容に合った答えとなる音声データと、前記表示手段に表示されている画像を動かすための画像データとをそれぞれ対応させた「画像−音声入力−音声出力−動作プログラム」からなるデータファイルが記憶されている記憶手段と、前記音声認識された音声データに基づいて予め記憶されている前記データファイルから音声に合った答えと、前記答えに合った画像とが出力するように制御を行う制御手段とを少なくとも備えていることを特徴とする。
【００１２】
（第５発明）
第５発明の音声動画応答システムは、画像を表示させる表示手段と、前記表示手段に所望の画像を選択して表示させる画像選択手段と、通信手段と、マイクロホンおよびスピーカーからなる入出力手段と、を少なくとも備えている情報処理装置と；
音声を認識する音声認識手段と、前記音声認識手段により音声を認識することにより音声の内容に合った答えとなる音声データと、画像を動かすための画像データとをそれぞれ対応させた「画像−音声入力−音声出力−動作プログラム」からなるデータファイルとが記憶されている記憶手段と、通信手段とを少なくとも備えているサーバーと；
から構成されている音声動画応答システムにおいて、
前記情報処理装置で選択した画像およびマイクロホンからの音声に対する答えが前記サーバー側の前記音声認識手段、および前記データファイルにより、前記音声に合った答えと前記答えに合った画像となって、前記通信手段を介して前記表示手段および入出力手段から出力することを特徴とする。
【００１３】
（第６発明）
第６発明の音声動画応答システムは、画像を表示させる表示手段と、前記表示手段に所望の画像を選択して表示させる画像選択手段と、スピーカーからなる出力手段と、前記音声認識手段により音声を認識することにより音声の内容に合った答えとなる音声データと、前記選択された画像を動かすための画像データとをそれぞれ対応させた「情報−画像−音声入力−音声出力−動作プログラム」からなるデータファイルとが記憶されている記憶手段と、サーバーの情報配信手段に記憶されている情報を選択する情報選択手段と、前記サーバーの情報配信手段に接続するための通信手段とを少なくとも備えている情報処理装置を用いた音声動画応答システムにおいて、前記情報処理装置で選択した情報および前記情報を伝える画像が前記データファイルに基づいて、表示手段に画像を表示させるとともに、前記情報を出力することを特徴とする。
【００１４】
（第７発明）
第７発明の音声動画応答システムは、第４発明から第６発明における音声認識手段によって音声を認識し、認識された前記音声の内容に合った答えを音声合成手段を用いて出力することを特徴とする。
【００１５】
（第８発明）
第８発明の音声動画応答システムは、第４発明から第７発明において、音声認識手段、音声認識対象語彙データ、音声合成手段、音声合成対象文のデータ、前記データファイルの中の少なくとも一つが通信手段を介して情報処理装置にダウンロードされることを特徴とする。
【００１６】
（第９発明）
第９発明の音声動画応答システムは、第５発明における情報処理装置がマイクロホンから入力された音声を音声認識手段により音声データとし、前記サーバーから所望の情報を表示手段および／またはスピーカーから出力することを特徴とする。
【００１７】
（第１０発明）
第１０発明の音声動画応答システムは、第５発明から第９発明の情報処理装置がサーバーと通信手段を接続した状態で、画像と音声に対する答えとをダウンロードすることを特徴とする。
【００１８】
（第１１発明）
第１１発明の音声動画応答システムは、第５発明から第１０発明のサーバーにダウンロード回数を数えるダウンロードカウンターを備えていることを特徴とする。
【００１９】
（第１２発明）
第１２発明の音声動画応答システムは、第５発明から第１１発明のサーバーにおいて、通信手段に接続することにより課金する課金手段が設けられていることを特徴とする。
【００２０】
（第１３発明）
第１３発明の音声動画応答システムは、第５発明から第１２発明の情報処理装置がパーソナルコンピュータ、携帯電話機、モバイル機器、固定電話機、ディジタルテレビジョンセットの内の少なくとも一つであることを特徴とする。
【００２１】
（第１４発明）
第１４発明の携帯電話機を用いた音声動画応答システムは、発呼者からの信号を認識する着信手段と、前記着信手段によって得られた発呼者からの電話番号を認識する電話番号認識手段と、前記電話番号認識手段により認識した電話番号に合った発呼者に対応させた音声データと、前記発呼者の画像データとをそれぞれ対応させた「情報−画像−音声入力−音声出力−動作プログラム」からなるデータファイルとが記憶されている記憶手段と、前記記憶手段に記憶されている音声データを出力するスピーカーと、前記記憶手段に記憶されている画像データを出力する表示手段とを少なくとも備えていることを特徴とする。
【００２２】
（第１５発明）
第１５発明の携帯電話機を用いた音声動画応答システムは、第５発明から第１２発明におけるサーバーが一部のデータを他のサーバーから得ることを特徴とする。
【００２３】
（第１６発明）
第１６発明の携帯電話機を用いた音声動画応答システムは、第１５発明における他のサーバーがインターネットによるオンラインサービスを提供することを特徴とする。
【発明の効果】
【００２４】
本発明によれば、「画像−音声入力−音声出力−動作プログラム」をそれぞれ対応させたデータファイルを持つことで、話しかけた会話に対して、選択した画像が動作しながら前記会話に対して答えてくれるため、情報処理装置が楽しく、かつ癒しにもなる。
【００２５】
本発明によれば、「情報−画像−音声入力−音声出力−動作プログラム」をそれぞれ対応させたデータファイルを持つことで、情報を求めると、選択した画像が動作しながら情報を提供してくれるため、情報処理装置に対するアクセスが楽しく、飽きずに仕事や勉強を楽しくできる。
【００２６】
本発明によれば、音声認識手段、音声合成手段、あるいは、前記データファイル等がサーバーに記憶されており、これらを情報処理装置にダウンロードしたり、あるいは、サーバーと通信しながら実施できるため、手持ちの情報処理装置にそれぞれ対応させることが容易である。
【００２７】
本発明によれば、携帯電話機に電話番号と当該電話番号の持ち主の画像との関連を記憶する手段を持つだけで、相手の顔等を見ながら電話を楽しくすることができる。
【００２８】
本発明によれば、携帯電話機からサーバーに接続して、前記サーバーに記憶されている画像と前記画像に関連するデータとを容易に得ることができる。
【００２９】
本発明によれば、情報処理装置をインターネットに接続するだけで、要求した情報の内容と、前記情報に関連した画像とを得ることができる。
【発明を実施するための最良の形態】
【００３０】
（第１発明）
第１発明の音声動画応答方法は、たとえば、少なくとも画像選択手段、音声認識手段、データファイル記憶手段、表示手段およびマイクロホンとスピーカー等の入出力手段を備えている情報処理装置を用いて行うものであり、前記音声認識手段、および前記データファイルにより、音声に合った答えと、前記答えに合った動きをする画像とが出力される。
【００３１】
たとえば、前記情報処理装置は、前記画像選択手段により選択された画像を表示させる表示手段が備えられているとともに、前記マイクロホンから入力された音声を認識する音声認識手段とを備えている。
【００３２】
前記音声認識手段により音声を認識することにより音声の内容に合った答えは、予め記憶手段に記憶されている前記データファイルのテーブルを参照して出力される。前記データファイルのテーブルは、たとえば、画像を表示手段に表示させるための画像データ、前記音声認識手段により認識された音声データ、前記音声の内容に合った音声データ、前記表示手段に表示されている画像を前記答えに合わせて動かすための動作プログラムから構成されている。
【００３３】
すなわち、前記データは、「画像−音声入力−音声出力−動作プログラム」をそれぞれ対応させたデータファイルとが予め記憶手段に記憶されている。マイクロホンから入力された音声は、音声認識手段により音声データとなり、前記テーブルから音声に基づいて予め記憶されている音声に合った答えと画像とを出力する。
【００３４】
第１発明は、予め画像記憶手段に記憶されている画像を選択して、表示手段に表示するとともに、マイクロホンから予め記憶されている音声を入力することにより、前記音声に合った答えをスピーカーから出力し、さらに、前記答えに合った動作を行う前記画像を前記表示手段に表示する。第１発明は、好みの画像を選択し、選択された画像に自分の話しかけた簡単な会話に対して、表情や動作を加えて答えさせることにより、情報処理装置を楽しく使用することができる。本明細書でいう画像とは、動画像および静止画像を含む。
【００３５】
（第２発明）
第２発明の音声動画応答方法は、第１発明の情報処理装置に音声認識手段、画像記憶手段、テーブル記憶手段等が備えられていたのに対し、前記音声認識手段、画像記憶手段、「画像−音声入力−音声出力−動作プログラム」をそれぞれ対応させたテーブルからなるデータファイルを記憶する記憶手段等をサーバーから通信手段を介してダウンロードして使用しようとするものである。
【００３６】
（第３発明）
第３発明の音声動画応答方法は、サーバーと情報処理装置とを通信手段に接続した状態で、前記情報処理装置からの音声がサーバー側の音声認識手段によって音声認識された音声データに基づいて、予めサーバー側に記憶されているデータファイルから前記音声に合った答えと画像とを前記通信手段を介して情報処理装置側の表示手段および出力手段に出力する。
【００３７】
前記サーバーは、音声を認識する音声認識手段と、前記音声認識により認識された音声の答えと、前記答えに合った画像の動きを行わせるためのテーブルからなるデータファイルを記憶する記憶手段を備えている。前記テーブルは、たとえば、前記音声認識手段による音声データ、音声の内容に合った答えからなる音声データ、前記答えに合わせて画像を動かすための動作プログラムの組み合わせから構成されている。すなわち、前記テーブルは、「画像−音声入力−音声出力−動作プログラム」をそれぞれ対応させたデータファイルである。
【００３８】
前記情報処理装置は、前記サーバーに接続できる通信手段と、画像を表示させる表示手段と、スピーカー等の出力手段とを少なくとも備えている。前記情報処理装置は、前記通信手段を介してサーバーに接続した後、前記情報処理装置からの音声がサーバー側の音声認識手段によって音声認識された音声データとなる。
【００３９】
前記音声データは、予めサーバー側に記憶されている前記データファイルから前記音声に合った答えと画像を動かすプログラムを選択し、データとして前記通信手段を介して情報処理装置側の前記表示手段および出力手段において出力することができる。
【００４０】
前記音声動画応答方法は、前記音声認識手段によって認識された音声の内容に合った答えを音声合成手段によって合成することにより出力する。前記音声動画応答方法は、サーバー側に音声合成手段を備えるようにしたため、情報処理装置側の負荷を軽減することができる。
【００４１】
前記音声動画応答方法は、サーバーに情報配信手段があり、選択された情報に基づいて答えが、前記答えに合わせて画像を動かすこともできる。たとえば、前記情報は、野球やサッカーの結果であり、ファンの選手の表情や動作とともに前記結果をしゃべらすことができる。
【００４２】
情報処理装置には、情報選択手段が少なくとも備えられており、所望の情報を得るための選択を行う。前記選択された情報は、サーバー側の情報配信手段から答えが取り出され、通信手段を介して前記情報処理装置から出力するとともに、前記答えに合った画像が表示される。
【００４３】
前記音声動画応答方法は、サーバーに各種画像を記憶させておき、情報処理装置から任意の画像がダウンロードできる。音声を入力した者は、多数の画像の中から、自分の好みにあった動物、運動選手、アイドル、芸能人を使い、自分の音声に対する回答と動作とを交えて行わせることができる。
【００４４】
（第４発明）
第４発明の音声動画応答システムは、画像選択手段、表示手段、音声認識手段、音声合成手段、テーブル記憶手段、制御手段とから少なくとも構成されている。前記画像選択手段は、予め入力した音声に対する答えと、前記答えに合った動作をさせる画像を選択することができる。
【００４５】
表示手段は、前記画像選択手段によって選択された画像を表示させるとともに、後述する答えに合った動作を表示させる。前記音声認識手段は、話しかけた音声を認識して、前記音声データに対する答えを予め備えておくことができる。
【００４６】
前記記憶手段には、前記音声認識手段により音声を認識することにより音声の内容に合った答えとなる音声データと、前記表示手段に表示されている画像を動かすためのプログラム等が記憶されている。すなわち、記憶手段は、「画像−音声入力−音声出力−動作プログラム」をそれぞれ対応させたデータファイルと、少なくとも一つの画像データが記憶されている。
【００４７】
前記制御手段は、画像選択手段により選択された画像が前記音声認識された音声データに基づいて予め記憶されている前記データファイルから音声に合った答えと、前記答えに合った画像とを取り出して出力するように制御する。
【００４８】
（第５発明）
第５発明の音声動画応答システムは、音声認識手段、データファイルを通信手段を介して情報処理装置にダウンロードする。前記ダウンロードされた各手段は、たとえば、圧縮手段等により圧縮されて保存される。
【００４９】
第５発明の音声動画応答システムは、表示手段、画像選択手段、通信手段、入出力手段を少なくとも備えている情報処理装置と、音声認識手段、画像データ・音声データ・前記音声に対する答えデータ・前記答えに合った動作プログラムをデータファイルとして記憶する記憶手段、通信手段を少なくとも備えているサーバーとから構成されている。
【００５０】
前記情報処理装置の使用者は、前記画像選択手段により画像を選択した後、マイクロホンを用いて画像に話しかける。前記話しは、通信手段を介してサーバーにおける音声を認識する音声認識手段により音声データとなる。制御手段は、前記音声データに基づいて、前記記憶手段に記憶されている前記答えに合わせて画像を動かすための「画像−音声入力−音声出力−動作プログラム」をそれぞれ対応させたデータファイルから前記音声データに合った答えと、前記答えに合った動作プログラムを選択する。
【００５１】
制御手段は、選択された答えに基づいて、音声合成手段により音声を合成させるとともに、前記音声に合った画像の動きデータを取り出す。前記音声に合った答えと、前記答えに合った画像は、前記通信手段を介して前記表示手段および入出力手段から出力される。
【００５２】
（第６発明）
第５発明または第６発明の音声動画応答システムは、サーバーの情報配信手段に記憶されている情報を選択する情報選択手段と、前記サーバーの情報配信手段に接続するための通信手段と、を少なくとも備えている情報処理装置である点で、第４発明の音声動画応答システムと異なっている。
【００５３】
前記情報選択手段は、所望の情報が選択されることにより、サーバーの情報配信手段に記憶されている情報を取り出す。前記情報処理装置で選択した情報および前記情報に合った動画は、「情報−画像−音声入力−音声出力−動作プログラム」をそれぞれ対応させたデータファイルに基づいて、表示手段に動画を表示させるとともに、情報を出力する。前記データファイルは、情報に基づくキーワードにより、予め動画プログラムを作成しておき、これに基づいて表示手段における画像を動かす。
【００５４】
（第７発明）
第４発明から第６発明の音声動画応答システムは、音声認識手段によって認識された音声に対する内容に合った答えを音声合成手段によって合成させて、出力する。第４発明は、予め前記答えを音声として記憶させておかずに、音声データとして記憶している場合である。
【００５５】
（第８発明）
第４発明から第７発明の音声動画応答システムは、音声認識手段、音声認識対象語彙データ、音声合成手段、音声合成対象文のデータ、および前記データファイルの中の少なくとも一つがサーバー等に記憶されており、通信手段を介して、情報処理装置にダウンロードされる。第４発明から第７発明は、情報処理装置の容量が小さい場合であっても、サーバー側の前記各手段を使用することで音声動画応答システムを容易に使用することができる。また、前記音声合成対象文のデータとは、音声合成の対象となる単語および文章が含まれる。
【００５６】
（第９発明）
第９発明の音声動画応答システムは、情報選択手段による情報の選択を第８発明のマイクロホンによって行う。また、前記マイクロホンから入力された音声は、音声認識手段によって音声データとなり、サーバーから所望の情報を選択する。選択された情報は、動画とともに表示手段および／またはスピーカーから出力する。
【００５７】
（第１０発明）
第５発明から第１０発明の音声動画応答システムは、サーバーと通信手段が接続された状態で、前記情報処理装置に動画のプログラムと音声に対する答えとをダウンロードする。第５発明から第１０発明は、記憶容量の少ない情報処理装置に適している。
【００５８】
（第１１発明）
第５発明から第１０発明の音声動画応答システムは、サーバーにダウンロード回数を数えるダウンロードカウンターが備えられている。前記ダウンロードカウンターは、記憶されている画像、特に、芸能人やプロ選手等の人気等を速く察知することができ、商品の販売合戦を勝ち抜くための価値ある情報となる。
【００５９】
（第１２発明）
第５発明から第１１発明の音声動画応答システムは、サーバーに接続することにより課金する課金手段が設けられている。第５発明から第１１発明は、サーバーに接続することにより課金することで、画像、画像のプログラム、音声に対する答え等の種類を増加し、品質の高いサービスを提供することができる。
【００６０】
（第１３発明）
第５発明から第１２発明の音声動画応答システムは、情報処理装置として、パーソナルコンピュータ、携帯電話機、モバイル機器、固定電話機、ディジタルテレビジョンセットの内の少なくとも一つを使用することができる。すなわち、第５発明ないし第１２発明は、所定の記憶容量と入出力手段コンピュータ機能を有する情報処理装置により行うことができる。
【００６１】
（第１４発明）
第１４発明の音声動画応答システムは、携帯電話機を用いた場合である。電話機による発呼者からの信号は、前記携帯電話機における着信手段によって認識される。前記携帯電話機における電話番号認識手段は、前記着信手段によって得られた発呼者からの電話番号を認識する。
【００６２】
前記携帯電話機における記憶手段は、前記電話番号認識手段により認識した電話番号に合った発呼者に対応させた音声データと、前記発呼者の画像データとをそれぞれ対応させた「情報−画像−音声入力−音声出力−動作プログラム」からなるデータファイルとが記憶されている。
【００６３】
前記データファイルに記憶されて関連付けられた音声データおよび画像データは、スピーカーから出力するとともに、表示手段によって表示する。たとえば、携帯電話機の持ち主は、発呼者の顔の画像や声を効きながら電話をかけることができる。
【００６４】
前記音声動画応答システムは、携帯電話機により、サーバーに記憶された音声および画像を得ることができる。サーバーは、前記携帯電話機からの音声信号を着信手段によって受信する。前記着信手段によって得られた発呼者からの音声信号は、音声認識手段によって認識される。
【００６５】
音声解析手段は、前記音声認識手段により認識した音声データの内容を解析する。たとえば、前記音声解析手段は、前記音声信号が天気予報あるいは野球の結果であるのかを解析する。また、サーバーには、前記音声解析手段によって解析された音声データの答えとなるデータと画像データとをそれぞれ対応させた「情報−画像−音声入力−音声出力−動作プログラム」からなるデータファイルとが記憶されている記憶手段を備えている。
【００６６】
たとえば、携帯電話機からの音声が天気予報と東京の要求であった場合、前記データファイルにおける東京地方の天気予報を自動的に抽出して、画像送信手段により、前記音声データに関連した画像データ等を前記発呼者に送信する。前記画像データは、たとえば、天気図や音声等も添えて送ることにより、楽しい天気予報が容易に得られる。
【００６７】
前記音声認識手段によって前記発呼者の音声データを認識し、認識された前記音声データの内容に合った答えを音声合成手段を用いて出力する。すなわち、前記音声データは、音声合成手段によって作成できるため、データを圧縮することにより多くの答え等を記憶させることができる。
【００６８】
（第１５発明）
第８発明から第１２発明は、音声動画応答システムに記憶されたデータのみでサービスを行うと、データに限りがある。そこで、第８発明から１２発明は、音声動画応答システムのサーバー以外のサーバーにもアクセスできるようにしている。たとえば、前記他のサーバーは、野球やサッカーの結果が判るテレビ局や新聞社関係のものに接続できるようにする。
【００６９】
（第１６発明）
第１６発明の携帯電話機を用いた音声動画応答システムは、インターネットによるオンラインサービスと接続することができる。携帯電話機によりインターネットに接続した者は、単に、天気予報や野球等の結果を見たり聞いたりするのではなく、たとえば、好きなキャラクターの表情等とともに楽しむことがでる。
【実施例１】
【００７０】
図１は本発明の第１実施例で、情報処理装置を用い、音声を認識し、前記音声の答えと、前記答えに合った動作を選択された画像に行なわせるためのブロック構成図である。図１において、情報処理装置１０は、たとえば、パーソナルコンピュータ、ディジタルテレビジョンセット、固定電話機、モバイル機器、携帯電話機等である。
【００７１】
また、前記情報処理装置１０は、画像選択手段１１と、「画像−音声入力−音声出力−動作プログラム」をそれぞれ対応させたデータファイルがテーブルとして記憶された画像記憶手段１２と、前記画像を表示する表示手段１３と、音声を入力するマイクロホン１４と、前記音声を認識する音声認識手段１５と、入力された音声の答えを出力するための音声合成手段１６と、前記音声合成手段１６によって合成された音声を出力するスピーカー１７と、前記各手段を制御する制御手段１８とから構成されている。
【００７２】
図２は本発明の第１実施例におけるデータファイルを説明するためのテーブルである。図２に示されたテーブルは、予め前記画像記憶手段１２に記憶されており、選択できる複数種類の画像と、情報処理装置１０のマイクロホン１４に向かってしゃべる音声入力データと、前記音声入力データに合った答えとなる音声出力データと、前記選択された画像を前記答えに合わせて動作させる動作プログラムデータとから構成されたデータファイルである。
【００７３】
図２に示す例は、単なる一例に過ぎないが、画像としてイルカ、妻または恋人、野球の選手があげられている。たとえば、前記データファイルは、単身赴任で離ればなれになっている妻または恋人の簡単な会話（音声入力データ）、前記会話に基づいて当然予測される答え（音声出力データ）、および前記妻または恋人の画像とともに、前記答えに合った動作プログラムデータがそれぞれ記憶されている。
【００７４】
前記画像の種類、音声入力および音声出力の種類、また、それぞれの画像に合った動作プログラムは、近年、情報処理装置の記憶容量が大きくなったことにより多く、また多様化することができる。前記テーブルが記憶されたデータファイルは、好みに合った画像を選択して入力する以外、予めソフトウエアとして記憶しておくことができる。
【００７５】
図１および図２を参照して音声動画応答システムについて説明する。画像選択手段１１は、たとえば、画像記憶手段１２に好みの画像または前記のように妻または恋人を選択しておく。家に帰った後、情報処理装置１０のマイクロホン１４に向かって、「ただいま」と話しかける。マイクロホン１４は、前記「ただいま」という音声信号を音声認識手段１５に送る。前記音声認識手段１５は、前記音声を認識して音声データとする。
【００７６】
前記制御手段１８は、前記音声データに基づいて、データファイルにおけるテーブルから、その答えは「お帰りなさい」であり、動作は「ニコニコ顔」であることが判る。前記制御手段１８は、前記「お帰りなさい」という音声データを音声合成手段１６により音声に変換させ、スピーカー１７から出力させる。また、前記制御手段１８は、前記テーブルから妻または恋人に「ニコニコ顔」を行なわせる動作プログラムデータにしたがって表示手段１３に画像を送るとともに、答えと動作を同期させる。
【００７７】
なお、前記音声データが音声そのものが記憶されている場合は、前記音声合成手段１６が不要になる。
【００７８】
たとえば、近年、携帯電話機に内蔵されている記憶手段の容量は、年々大きくなって来ている。前記携帯電話機の記憶手段に前記各手段を設けた場合、何時何処でも、恋人の画像と話しかけに対する答えを動作とともに聞くことができ、離ればなれになっていても、一体感を味わうことができ、癒し効果を上げることができる。
【実施例２】
【００７９】
図３は本発明の第２実施例で、情報処理装置とサーバーを用い、音声を認識し、前記音声の答えと、前記答えに合った動作を選択された画像に行なわせるためのブロック構成図である。図３において、情報処理装置３０は、サーバー３２と通信を行なう通信手段３１と、サーバー３２からダウンロードされたデータファイルを記憶する画像記憶手段１２、音声認識手段１５、音声合成手段１６等を取り込む際に各データを圧縮するための圧縮手段３３を備えている点で第１実施例と異なっている。
【００８０】
なお、前記音声合成手段１６は、必要に応じて設けられる。たとえば、データファイルにおける音声データを音声そのものにすれば、前記音声合成手段１６が不要になる。
【００８１】
前記情報処理装置３０側は、サーバー３２から前記各手段をソフトウエアとしてダウンロードすることにより、有料または無料によりサービスを受けることができる。前記サーバー３２は、画像を多数記憶させておき、ユーザーの好みにあった画像および動作プログラムのみを自分の画像記憶手段１２にダウンロードすることができるため、画像記憶手段１２の容量に負担がかからない。
【実施例３】
【００８２】
図４は本発明の第３実施例で、音声認識手段等をサーバー側に備えておき、サーバーと情報処理装置とを通信手段を介して、前記音声の答えと、前記答えに合った動作を選択された画像に行なわせるためのブロック構成図である。図４において、サーバー４１は、通信手段４１１と、前記データファイルがテーブルとして記憶されている画像記憶手段４１２と、通信手段４１１を介して送られて来た音声を音声認識して音声データにする音声認識手段４１３と、前記テーブルから得られた答えとなる音声データを音声合成する音声合成手段４１４と、前記音声認識された音声データに基づいて前記データファイルのテーブルから前記音声に合った答えと、前記答えに合った動作プログラムデータを選択する等の制御を行なう制御手段４１７とから少なくとも構成されている。
【００８３】
また、前記サーバー４１には、後述の情報処理装置４２からのダウンロード回数をカウントするダウンロード回数カウンター４１５、およびダウンロードに対して課金する課金手段４１６を必要に応じて設けることができる。前記ダウンロード回数カウンター４１５は、画像記憶手段４１２に記憶されている画像またはキャラクターの人気度合いや負荷の予測等を知ることができ、サーバー４１の運用や広告等に利用できる。また、課金手段４１６は、安価な料金を徴収することで、サーバー４１の維持および品質の高いサービスを行なうことができる。
【００８４】
情報処理装置４２は、画像記憶手段、音声認識手段、音声合成手段等を備えておく必要がなく、既に備えている通信手段４２２と、表示手段４２３と、マイクロホン４２４と、スピーカー４２５と、制御手段４２６の他に、好みの画像を選択する画像選択手段４２１だけで済み、メモリの負荷を少なくすることができるため、携帯電話機やその他のモバイル機器に適用することができる。
【実施例４】
【００８５】
図５は本発明の第４実施例で、音声認識手段等を情報処理装置側に備えておき、サーバーと情報処理装置とを通信手段を介して、情報を選択することにより情報の結果と、前記情報の結果に合った動作を選択された画像に行なわせるためのブロック構成図である。図６は本発明の第４実施例に使用するデータファイルとして記憶されているテーブルを説明するための図である。
【００８６】
図５において、情報処理装置５２は、好みの画像を選択できる画像選択手段５２１と、前記サーバー５１から所望の情報を選択する情報選択手段５２２と、サーバー５１と通信を行なう通信手段５２３と、前記通信手段５２３を介してサーバー５１からダウンロードする後述のデータファイルを記憶する画像記憶手段５２４と、前記データファイルの音声データを音声にする音声合成手段５２６と、スピーカー５２７と、前記各手段を制御する制御手段５２８とから少なくとも構成されている。
【００８７】
図６は本発明の第４実施例に使用するデータファイルとして記憶されているテーブルを説明するための図である。図６において、図２に示されたデータファイルと異なるところは、テーブルが「情報−画像−音声入力−音声出力−動作プログラム」から構成されている点である。しかし、前記テーブルは、必ずしも上記のような組み合わせである必要がない。たとえば、前記テーブルは、「画像−音声入力（情報）−音声出力−動作プログラム」とすることができる。
【００８８】
前記テーブルは、情報と画像の選択により、情報の結果または内容が前記選択された画像の動きにより知ることができるものであれば良い。したがって、前記テーブルにおける組み合わせは、図６に示されたものに限らず、いろいろな情報の組み合わせを考えることができる。
【００８９】
前記情報処理装置５２のユーザーは、サーバー５１に記憶されている野球の結果を、たとえば、長島茂雄にしゃべらせたい場合、画像選択手段５２１に予め記憶されている長島茂雄を選択するとともに、情報選択手段５２２により野球を選択した後、マイクロホン１４に向かって、「巨人対阪神戦の結果」を入力する。前記情報選択手段５２２は、サーバー５１から本日の「巨人対阪神戦の結果」を通信手段５２３を介して、スピーカー５２７から出力または表示手段５２５に表示することができる。
【００９０】
また、同時に、前記画像選択手段５２１は、長島茂雄の選択により、サーバー５１または画像記憶手段５２４におけるデータファイルのテーブルから長島茂雄の画像および動作プログラムデータが選択されるとともに、表示手段５２５およびスピーカー５２７から前記「巨人対阪神戦の結果」とともに長島茂雄のニコニコ顔で戦績を聞くことができる。前記情報選択手段５２２は、情報処理装置５２のキーボードまたは、図示されていない、マイクロホンと音声認識手段とすることもできる。
【００９１】
前記情報の選択は、大学受験講座であり、音声入力で大きな声で「東大受験」と叫ぶことにより、東大受験用のテキストがダウンロードされ、好きな人の激励画像および励ましの言葉を聞きながら勉強をすることができ、学習効果を向上させることができる。
【実施例５】
【００９２】
図７は本発明の第５実施例で、情報処理装置として携帯電話機を用いた場合、情報に合った動作と画像が出力するためのブロック構成図である。図８は本発明の第５実施例に使用するデータファイルとして記憶されているテーブルを説明するための図である。図７において、携帯電話機７１は、着信手段７１１と、番号認識手段７１２と、画像記憶手段（画像・動作データファイル）７１３と、表示手段７１４と、スピーカー７１５とから少なくとも構成されている。
【００９３】
携帯電話機７１の着信手段７１１は、発呼者からかけられた電話番号を番号認識手段７１２によりデータとして認識する。画像記憶手段（画像・動作データファイル）７１３は、図８に示すようなデータファイルからなる。すなわち、前記番号認識手段７１２は、前記データファイルの中の発振電話番号を検索する。
【００９４】
前記データファイルに記憶されているデータの中の、画像（たとえば、発振人の顔）と動き（ニコニコ顔）は、表示手段７１４から、音声出力（今日は）は、スピーカー７１５から出力する。前記番号認識手段７１２および画像記憶手段７１３は、携帯電話機７１にダウンロードしたり、サーバーに接続して使用することができる。また、前記データファイルは、作成ソフトウエアにより、作成して幾種類かを備えておくこともできる。  
【実施例６】
【００９５】
図９は本発明の第６実施例で、情報処理装置として携帯電話機を用いた場合、インターネットを通じて情報に合った動作と画像が出力するためのブロック構成図である。図１０は本発明の第６実施例に使用するデータファイルとして記憶されているテーブルを説明するための図である。図９において、サーバー９１は、着信手段９１１と、音声認識手段９１２と、音声解析手段９１３と、画像記憶手段（画像・動作データファイル）９１４と、画像・音声送信手段９１５とから少なくとも構成されている。
【００９６】
携帯電話をかける者は、たとえば、図示されていない、インターネットを介してサーバー９１に接続する。前記サーバー９１の着信手段９１１は、携帯電話機からの本サービスにアクセスしたことを理解し、前記携帯電話機からの音声を音声認識手段９１２に送る。
【００９７】
前記音声認識手段９１２は、前記音声を認識して音声データとする。音声解析手段９１３は、前記音声データを解析し、前記画像記憶手段（画像・動作データファイル）９１４におけるデータファイルに同じ音声データがあるか否かを検索する。前記データファイルは、たとえば、図１０に示すような内容のものからなる。
【００９８】
たとえば、前記音声データが東京の天気である場合は、前記データファイルに記憶されているデータの中の、「今日は、日中晴れ、遅くなって雨、傘をもってお出かけください。」という音声とともに、画像（たとえば、芸能人の顔）と動き（芸能人の顔が笑顔から曇り顔になる）が検索された後、前記画像・音声送信手段９１５から前記携帯電話機に送信される。
【００９９】
前記サーバー９１は、前記音声認識手段９１２の音声データによって、インターネットを介してリアルタイムの情報を提供しているサイトに接続できるようになっている。
【産業上の利用可能性】
【０１００】
以上、本実施例を詳述したが、本発明は、前記本実施例に限定されるものではない。そして、本発明は、特許請求の範囲に記載された本発明を逸脱することがなければ、種々の設計変更を行うことが可能である。本発明の音声認識処理部等ブロック構成図の具体的技術は、周知または公知の技術を使用することができるため、詳細が省略されている。
【０１０１】
本発明の第２実施例ないし第４実施例は、一部の手段をサーバーと情報処理装置の間でそれぞれ変えて備えることができる。たとえば、図３におけるサーバーにデータファイルを記憶する手段を有し、情報処理装置に音声認識手段および音声合成手段、あるいは、音声認識手段のみを有するようにすることもできる。
【０１０２】
情報処理装置は、前記データファイルを記憶する手段を有し、サーバーに音声認識手段、音声合成手段等を有するようにすることもできる。すなわち、本発明は、音声動画応答システムの各手段の全部または一部をサーバー側あるいは情報処理側のいずれに記憶させておいても良い。
【０１０３】
本発明の実施例におけるデータファイルは、図２および図６に記載されたテーブルに限定されず、任意の画像、任意の音声入力、任意の音声出力、任意の動作プログラム、任意の情報、あるいは、これらの組み合わせによるテーブルとすることができる。
【０１０４】
本発明の実施例は、音声を音声認識することにより、サービスが開始されるが、音声の代わりに電話番号を認識することにより、同様なサービスを開始することができる。
【図面の簡単な説明】
【０１０５】
【図１】本発明の第１実施例で、情報処理装置を用い、音声を認識し、前記音声の答えと、前記答えに合った動作を選択された画像に行なわせるためのブロック構成図である。（実施例１）
【図２】本発明の第１実施例におけるデータファイルを説明するためのテーブルである。
【図３】本発明の第２実施例で、情報処理装置とサーバーを用い、音声を認識し、前記音声の答えと、前記答えに合った動作を選択された画像に行なわせるためのブロック構成図である。（実施例２）
【図４】本発明の第３実施例で、音声認識手段等をサーバー側に備えておき、サーバーと情報処理装置とを通信手段を介して、前記音声の答えと、前記答えに合った動作を選択された画像に行なわせるためのブロック構成図である。（実施例３）
【図５】本発明の第４実施例で、音声認識手段等を情報処理装置側に備えておき、サーバーと情報処理装置とを通信手段を介して、情報を選択することにより情報の結果と、前記情報の結果に合った動作を選択された画像に行なわせるためのブロック構成図である。（実施例４）
【図６】本発明の第４実施例に使用するデータファイルとして記憶されているテーブルを説明するための図である。
【図７】本発明の第５実施例で、情報処理装置として携帯電話機を用いた場合、情報に合った動作と画像が出力するためのブロック構成図である。（実施例５）
【図８】本発明の第５実施例に使用するデータファイルとして記憶されているテーブルを説明するための図である。
【図９】本発明の第６実施例で、情報処理装置として携帯電話機を用いた場合、インターネットを通じて情報に合った動作と画像が出力するためのブロック構成図である。（実施例６）
【図１０】本発明の第６実施例に使用するデータファイルとして記憶されているテーブルを説明するための図である。
【符号の説明】
【０１０６】
１０・・・情報処理装置
１１・・・画像選択手段
１２・・・画像記憶手段
１３・・・表示手段
１４・・・マイクロホン
１５・・・音声認識手段
１６・・・音声合成手段
１７・・・スピーカー
１８・・・制御手段
３０・・・情報処理装置
３１・・・通信手段
３２・・・サーバー
３３・・・圧縮手段
４１・・・サーバー
４１１・・・通信手段
４１２・・・画像記憶手段（画像・動作データファイル）
４１３・・・音声認識手段
４１４・・・音声合成手段
４１５・・・ダウンロード回数カウンター
４１６・・・課金手段
４１７・・・制御手段
４２・・・情報処理装置
４２１・・・画像選択手段
４２２・・・通信手段
４２３・・・表示手段
４２４・・・マイクロホン
４２５・・・スピーカー
４２６・・・制御手段
【図１】
2006048218.tif 000003
【図２】
2006048218.tif 000004
【図３】
2006048218.tif 000005
【図４】
2006048218.tif 000006
【図５】
2006048218.tif 000007
【図６】
2006048218.tif 000008
【図７】
2006048218.tif 000009
【図８】
2006048218.tif 000010
【図９】
2006048218.tif 000011
【図１０】
2006048218.tif 000012